(57)【特許請求の範囲】
【請求項１】
コンピュータによって実現されるコンテンツ流通方法であって、
前記コンピュータが、漫画コンテンツの全体単位場面のうちの少なくとも１つの単位場面に対して高画質原画を登録する段階、および
前記コンピュータが、前記漫画コンテンツでユーザによって選択された単位場面の高画質原画を前記ユーザのユーザ端末に提供する段階
前記コンピュータが、前記漫画コンテンツの単位場面別に選択機能を提供し、前記選択機能によって選択された単位場面の編集のための編集機能を提供する段階であって、前記編集機能は、前記漫画コンテンツを視聴する前記ユーザを含む複数のユーザから前記単位場面に含まれた台詞の翻訳文を収集し、前記台詞を特定の基準に従い選定された翻訳文に変更して、後に前記漫画コンテンツを提供する、段階
を含む、コンテンツ流通方法。
【請求項２】
前記登録する段階は、
前記漫画コンテンツをオンラインサービスで提供する基本画質よりも解像度が高い高画質原画を登録する、
請求項１に記載のコンテンツ流通方法。
【請求項３】
前記ユーザ端末に提供する段階は、
前記漫画コンテンツの単位場面別に選択機能を提供し、前記選択機能によって選択された単位場面の高画質原画を前記ユーザ端末に提供する、
請求項１に記載のコンテンツ流通方法。
【請求項４】
前記ユーザ端末に提供する段階は、
前記漫画コンテンツに対してキャプチャのためのユーザアクションが入力された場合、前記漫画コンテンツの単位場面を区分して表示する、
請求項１に記載のコンテンツ流通方法。
【請求項５】
前記ユーザ端末に提供する段階は、
前記選択された単位場面に対して高画質原画が登録されているかを判断し、高画質原画が登録されていれば該当の高画質原画を前記ユーザ端末に提供し、高画質原画が登録されていなければ基本画質で前記ユーザ端末に提供する、
請求項１に記載のコンテンツ流通方法。
【請求項６】
前記ユーザ端末に提供する段階は、
前記漫画コンテンツで前記高画質原画が登録されている単位場面に表示子またはキャプチャツールを表示する、
請求項１に記載のコンテンツ流通方法。
【請求項７】
前記コンピュータが、前記ユーザによる入力に応答して、ネットワークを介するサービスを利用して、前記ユーザ端末に提供した高画質原画を前記ユーザと他のユーザとの間で共有させる段階
をさらに含む、請求項１に記載のコンテンツ流通方法。
【請求項８】
前記コンピュータが、前記ユーザによる入力に応答して、前記漫画コンテンツの単位場面別に選択機能を提供し、ネットワークを介するサービスを利用して、前記選択機能によって選択された単位場面を前記ユーザと他のユーザとの間で共有させるための共有機能を提供する段階
をさらに含む、請求項１に記載のコンテンツ流通方法。
【請求項９】
前記コンピュータが、前記漫画コンテンツの単位場面別に選択機能を提供し、前記選択機能によって選択された単位場面をコレクションとして生成するためのコレクション機能を提供する段階
をさらに含む、請求項１に記載のコンテンツ流通方法。
【請求項１０】
コンピュータシステムが漫画コンテンツの流通を制御する命令を含むコンピュータで読み取り可能な媒体であって、
前記命令は、
漫画コンテンツの全体単位場面のうちの少なくとも１つの単位場面に対して高画質原画を登録する段階、および
前記漫画コンテンツでユーザによって選択された単位場面の高画質原画を前記ユーザのユーザ端末に提供する段階
前記漫画コンテンツの単位場面別に選択機能を提供し、前記選択機能によって選択された単位場面の編集のための編集機能を提供する段階であって、前記編集機能は、前記漫画コンテンツを視聴する前記ユーザを含む複数のユーザから前記単位場面に含まれた台詞の翻訳文を収集し、前記台詞を特定の基準に従い選定された翻訳文に変更して、後に前記漫画コンテンツを提供する、段階
を含む方法によって前記コンピュータシステムを制御する、コンピュータで読み取り可能な格納媒体。
【請求項１１】
漫画コンテンツの全体単位場面のうちの少なくとも１つの単位場面に対して高画質原画を登録する登録部、および
前記漫画コンテンツでユーザによって選択された単位場面の高画質原画を前記ユーザのユーザ端末に提供する提供部
を含み、
前記提供部は、前記漫画コンテンツの単位場面別に選択機能を提供し、前記選択機能によって選択された単位場面の編集のための編集機能を提供し、前記編集機能は、前記漫画コンテンツを視聴する前記ユーザを含む複数のユーザから前記単位場面に含まれた台詞の翻訳文を収集し、前記台詞を特定の基準に従い選定された翻訳文に変更して、後に前記漫画コンテンツを提供する、
コンテンツ流通システム。
【請求項１２】
前記登録部は、
前記漫画コンテンツをオンラインサービスで提供する基本画質よりも解像度が高い高画質原画を登録する、
請求項１１に記載のコンテンツ流通システム。
【請求項１３】
前記提供部は、
前記漫画コンテンツの単位場面別に選択機能を提供し、前記選択機能によって選択された単位場面の高画質原画を前記ユーザのユーザ端末に提供する、
請求項１１に記載のコンテンツ流通システム。
【請求項１４】
前記提供部は、
前記漫画コンテンツに対してキャプチャのためのユーザアクションが入力された場合、前記漫画コンテンツの単位場面を区分して表示する、
請求項１１に記載のコンテンツ流通システム。
【請求項１５】
前記提供部は、
前記漫画コンテンツで前記高画質原画が登録されている単位場面に表示子またはキャプチャツールを表示する、
請求項１１に記載のコンテンツ流通システム。
【請求項１６】
前記提供部は、
前記漫画コンテンツの単位場面別に選択機能を提供し、ネットワークを介するサービスを利用して、前記選択機能によって選択された単位場面を前記ユーザと他のユーザとの間で共有するための共有機能を提供する、
請求項１１に記載のコンテンツ流通システム。
【請求項１７】
前記提供部は、
前記漫画コンテンツの単位場面別に選択機能を提供し、前記選択機能によって選択された単位場面をコレクションとして生成するためのコレクション機能を提供する、
請求項１１に記載のコンテンツ流通システム。
【発明の詳細な説明】
【技術分野】
【０００１】
本発明の実施形態は、漫画コンテンツを自由に流通することができる技術に関する。
【背景技術】
【０００２】
一般的に漫画とは、人物、動物、出来事などの様子を簡潔かつ滑稽に描いたり誇張して表現したりする絵を意味するものであり、短い文章を挿入してユーモアや風刺、または所定の筋書きを表現することによって読み物を提供している。
【０００３】
最近ではオンライン漫画が出回っており、多くのユーザがこのような漫画を娯楽としたり、漫画から情報を得たりしている。オンライン漫画提供システムは、会員を中心とした認証処理の承認結果に基づいて閲覧できるように制限しており、承認されたユーザは、漫画を選んだ後、自動ページめくりや手動ページめくりを選択することによって簡単に漫画を読めるようにしている。
【０００４】
例えば、韓国公開特許第１０−２０１１−０１２３３９３号（公開日２０１１年１１月１５日）には、オンライン上の直取引を通じてモバイルデジタルコンテンツ形態の漫画を提供する技術が開示されている。
【発明の概要】
【発明が解決しようとする課題】
【０００５】
漫画コンテンツの部分イメージを高画質でキャプチャすることができる方法とシステム、および記録媒体を提供する。
【０００６】
漫画コンテンツから部分イメージを選択して流通することができる方法とシステム、および記録媒体を提供する。
【０００７】
漫画コンテンツの台詞を自由に編集して共有することができる方法とシステム、および記録媒体を提供する。
【課題を解決するための手段】
【０００８】
コンピュータによって実現されるコンテンツ流通方法であって、漫画コンテンツの全体単位場面のうちの少なくとも１つの単位場面に対して高画質原画を登録する段階、および前記漫画コンテンツでユーザによって選択された単位場面の高画質原画をキャプチャする段階を含む、コンテンツ流通方法を提供する。
【０００９】
コンピュータシステムが漫画コンテンツの流通を制御する命令を含むコンピュータで読み取り可能な媒体であって、前記命令は、漫画コンテンツの全体単位場面のうちの少なくとも１つの単位場面に対して高画質原画を登録する段階、および前記漫画コンテンツでユーザによって選択された単位場面の高画質原画をキャプチャする段階を含む方法によって前記コンピュータシステムを制御する、コンピュータで読み取り可能な格納媒体を提供する。
【００１０】
漫画コンテンツの全体単位場面のうちの少なくとも１つの単位場面に対して高画質原画を登録する登録部、および前記漫画コンテンツでユーザによって選択された単位場面の高画質原画に対するキャプチャ機能を提供する提供部を含む、コンテンツ流通システムを提供する。
【発明の効果】
【００１１】
本発明の実施形態によると、漫画コンテンツに対して高画質の原画をデータベースとして構築し、漫画コンテンツの部分イメージを高画質で提供することにより、ユーザが必要なイメージを高画質でキャプチャして所有または共有することができる。
【００１２】
本発明の実施形態によると、漫画コンテンツから部分イメージを選択して流通することにより、回次全体あるいはページ全体を対象とするのではなく、ユーザが希望する部分だけを自由に流通することができる。
【００１３】
本発明の実施形態によると、漫画コンテンツの部分イメージを利用してベストコレクションを生成したり台詞領域などを変更して共有したりできる環境を提供することにより、自由なコンテンツ製作と流通が可能となる。
【図面の簡単な説明】
【００１４】
【図１】本発明の一実施形態における、ユーザ端末とコンテンツ流通システムの概括的な様子を示した図である。
【図２】本発明の一実施形態における、コンテンツ流通システムの内部構成を説明するためのブロック図である。
【図３】本発明の一実施形態における、コンテンツ流動方法を説明するためのフローチャートである。
【図４】本発明の一実施形態における、ウェブトゥーン（ＷｅｂＴｏｏｎ）の部分イメージをキャプチャする過程を説明するためのフローチャートである。
【図５】本発明の一実施形態における、キャプチャ機能を説明するための例示画面である。
【図６】本発明の一実施形態における、キャプチャ機能を説明するための例示画面である。
【図７】本発明の一実施形態における、キャプチャ機能を説明するための例示画面である。
【図８】本発明の一実施形態における、キャプチャ機能を説明するための例示画面である。
【図９】本発明の一実施形態における、共有機能、編集機能、コレクション機能へのアクセス経路を例示的に説明した図である。
【図１０】本発明の一実施形態における、共有機能、編集機能、コレクション機能へのアクセス経路を例示的に説明した図である。
【図１１】本発明の一実施形態における、共有機能を説明するための例示画面である。
【図１２】本発明の一実施形態における、編集機能を説明するための例示画面である。
【図１３】本発明の一実施形態における、コレクション機能を説明するための例示画面である。
【図１４】本発明の一実施形態における、コンピュータシステムの内部構成の一例を説明するためのブロック図である。
【発明を実施するための形態】
【００１５】
以下、本発明の実施形態について、添付の図面を参照しながら詳細に説明する。
【００１６】
本発明の実施形態は、漫画コンテンツを自由に流通することができる技術に関するものであるが、これは、有線／無線ネットワークを基盤とし、インターネットを介してデジタルコンテンツ形態の漫画（以下、「ウェブトゥーン（ＷｅｂＴｏｏｎ）」と称する）を提供するサービス分野（例えば、ウェブトゥーンサービスなど）に適用されてよい。
【００１７】
図１は、本発明の一実施形態における、ユーザ端末とコンテンツ流通システムの概括的な様子を示した図である。図１では、コンテンツ流通システム１００およびユーザ端末１０１を示している。図１に示す矢印は、コンテンツ流通システム１００とユーザ端末１０１との間に有線／無線ネットワークを介してデータが送受信されることを意味してよい。
【００１８】
ユーザ端末１０１は、ＰＣ（ｐｅｒｓｏｎａｌ  ｃｏｍｐｕｔｅｒ）、ノート型パソコン（ｌａｐｔｏｐ  ｃｏｍｐｕｔｅｒ）、スマートフォン、タブレット、ウェアラブルコンピュータなどであって、コンテンツ流通システム１００と関連するウェブ／モバイルサイトへの接続、またはサービス専用アプリケーションのインストールおよび実行が可能なすべての端末装置を意味してよい。ここで、ユーザ端末１０１は、ウェブ／モバイルサイトまたは専用アプリケーションの制御下で、サービス画面の構成、データ入力、データ送受信、データ格納などのようなサービス全般の動作を実行してよい。
【００１９】
コンテンツ流通システム１００は、クライアントであるユーザ端末１０１を対象にウェブトゥーンを提供するサービスプラットフォームの役割をする。特に、コンテンツ流通システム１００は、ウェブトゥーンサービスを利用するユーザを対象に、ウェブトゥーンでユーザが希望する部分イメージをキャプチャしたり自由に共有したりするための環境を提供してよい。ここで、コンテンツ流通システム１００は、ユーザ端末１０１上にアプリケーション形態で実現されてよいが、これに限定されることはなく、クライアント−サーバ環境でウェブトゥーンサービスを提供するサービスプラットフォームに含まれる形態で実現されることも可能である。
【００２０】
図２は、本発明の一実施形態における、コンテンツ流通システムの内部構成を説明するためのブロック図である。
【００２１】
本実施形態に係るコンテンツ流通システム２００は、プロセッサ２１０、バス２２０、ネットワークインタフェース２３０、メモリ２４０、およびデータベース２５０を含んでよい。メモリ２４０は、オペレーティングシステム２４１およびサービス提供ルーチン２４２を含んでよい。プロセッサ２１０は、登録部２１１および提供部２１２を含んでよい。他の実施形態において、コンテンツ流通システム２００は、図２の構成要素よりもさらに多くの構成要素を含んでもよい。
【００２２】
メモリ２４０は、コンピュータで読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永久大容量記憶装置を含んでよい。また、メモリ２４０には、オペレーティングシステム２４１とサービス提供ルーチン２４２のためのプログラムコードが格納されてよい。このようなソフトウェア構成要素は、ドライブメカニズム（図示せず）を利用してメモリ２４０とは別のコンピュータで読み取り可能な記録媒体からロードされてよい。このような別のコンピュータで読み取り可能な記録媒体は、フロッピー（登録商標）ドライブ、ディスク、テープ、ＤＶＤ／ＣＤ−ＲＯＭドライブ、メモリカードなどのコンピュータで読み取り可能な記録媒体（図示せず）を含んでよい。他の実施形態において、ソフトウェア構成要素は、コンピュータで読み取り可能な記録媒体ではないネットワークインタフェース２３０を通じてメモリ２４０にロードされてもよい。
【００２３】
バス２２０は、コンテンツ流通システム２００の構成要素間の通信およびデータ送信を可能にする。バス２２０は、高速シリアルバス、パラレルバス、ＳＡＮ（Ｓｔｏｒａｇｅ  Ａｒｅａ  Ｎｅｔｗｏｒｋ）、および／または他の適切な通信技術を利用して構成されてよい。
【００２４】
ネットワークインタフェース２３０は、コンテンツ流通システム２００をコンピュータネットワークに接続するためのコンピュータハードウェア構成要素であってよい。ネットワークインタフェース２３０は、コンテンツ流通システム２００を無線または有線接続によってコンピュータネットワークに接続させてよい。
【００２５】
データベース２５０は、ウェブトゥーンそれぞれに対し、オンラインウェブトゥーンサービスのための基本画質（例えば、７２〜１２０ＤＰＩ）のイメージと高画質（例えば、３００ＤＰＩ）の原画イメージを格納および維持する役割をする。ここで、データベース２５０には、ウェブトゥーンの場面単位であるカット別にイメージが格納され、高画質原画の場合にはウェブトゥーンの全体カットが登録されてよいが、場合によっては、全体カットのうち作家による一部カットだけが選択的に登録されてもよい。図２では、コンテンツ流通システム２００の内部にデータベース２５０を構築して含むことを示しているが、これに限定されることはなく、システム実現方式や環境などによって省略されてもよいし、全体または一部のデータベースが別の他のシステム上に構築された外部データベースとして存在することも可能である。
【００２６】
プロセッサ２１０は、基本的な算術、ロジック、およびコンテンツ流通システム２００の入出力演算を実行することにより、コンピュータプログラムの命令を処理するように構成されてよい。命令は、メモリ２４０またはネットワークインタフェース２３０によって、バス２２０を介してプロセッサ２１０に提供されてよい。プロセッサ２１０は、登録部２１１および提供部２１２のためのプログラムコードを実行するように構成されてよい。このようなプログラムコードは、メモリ２４０のような記録装置に格納されてよい。
【００２７】
登録部２１１および提供部２１２は、以下で説明するコンテンツ流動方法を実行するために構成されてよい。
【００２８】
図３は、本発明の一実施形態における、コンテンツ流動方法を説明するためのフローチャートである。
【００２９】
段階３１０で、登録部２１１は、ウェブトゥーン登録過程において高画質の原画を登録してよい。登録部２１１は、作家を対象にウェブトゥーン製作ツールを提供し、ウェブトゥーン製作ツールを通じて入力される原稿をオンラインのウェブトゥーンサービスのための基本画質（例えば、７２〜１２０ＤＰＩ）で登録してよい。特に、登録部２１１は、作家の原稿に対して高画質（例えば、３００ＤＰＩ）の原画を共に登録してよい。このとき、登録部２１１は、原稿の単位カット別にイメージを登録し、高画質原画の場合には原稿の全体カットを登録してよいが、場合によっては、全体カットのうち作家によって選択された一部カットだけを登録してもよい。
【００３０】
段階３２０で提供部２１２は、特定のウェブトゥーンがユーザを対象にサービスされる場合、特定のウェブトゥーンの単位カット別に高画質の原画に対するキャプチャ機能を提供してよい。本実施形態において、キャプチャ機能は、ユーザがウェブトゥーンを視聴しながら、該当のウェブトゥーンで気に入ったり必要である部分イメージに対して高画質原画の写本を提供するものである。また、提供部２１２は、ウェブトゥーンの部分イメージを共有する共有機能、ウェブトゥーンの部分イメージを編集する編集機能、ウェブトゥーンの部分イメージを利用してコレクションを生成するコレクション機能を提供してよい。ここで、編集機能とは、ウェブトゥーンの部分イメージに含まれた台詞領域を変更したり翻訳したりするなど、ウェブトゥーンの台詞を自由に編集する機能であり、コレクション機能とは、ウェブトゥーンサービスを利用しながらユーザが気に入った部分イメージを組み合わせ、ユーザだけのベストコレクションを生成する機能である。さらに、共有機能とは、ウェブトゥーンの単位カット別に部分イメージを共有する機能であって、キャプチャ機能、編集機能、コレクション機能を利用して生成されたコンテンツをストア（コンテンツオープンマーケット）、ＳＮＳ（ｓｏｃｉａｌ  ｎｅｔｗｏｒｋ  ｓｅｒｖｉｃｅ）、メール、メッセンジャ、メッセージ、ブログ、グループなどで共有することができる。言い換えれば、提供部２１２は、ウェブトゥーン全体を対象にするのではなく、ウェブトゥーンから不必要な部分は除き、ユーザが希望する部分イメージを対象にキャプチャ機能、共有機能、編集機能、コレクション機能を提供することができる。
【００３１】
図４は、本発明の一実施形態における、ウェブトゥーンの部分イメージをキャプチャする過程を説明するためのフローチャートである。
【００３２】
段階４０１および段階４０２において、提供部２１２は、ウェブトゥーンを視聴中のユーザからウェブトゥーンの特定のイメージに対してキャプチャを要請するキャプチャアクションが入力された場合、該当のイメージの高画質原画が存在するかを判断する。すなわち、提供部２１２は、ユーザが視聴中のウェブトゥーンでユーザが特定したカットに対し、事前に高画質原画が登録されているかを判断してよい。
【００３３】
段階４０２および段階４０３において、提供部２１２は、ユーザによって特定されたカットに対して高画質原画が存在すれば、該当のカットを高画質原画でキャプチャしてよい。言い換えれば、提供部２１２は、ユーザがウェブトゥーンを視聴している途中、気に入った場面でキャプチャアクションを入力した場合、ウェブトゥーン全体ではなく、ユーザが選択した特定のカットを高画質原画でキャプチャしてよい。
【００３４】
段階４０２および段階４０４において、提供部２１２は、ユーザによって特定されたカットに対して高画質原画が存在しない場合には、該当のカットをウェブトゥーンサービス用の基本解像度でキャプチャしてよい。
【００３５】
図５〜図８は、本発明の一実施形態における、キャプチャのためのカットを特定する方法を説明するための例示画面である。
【００３６】
一例として、図５を参照すると、ユーザが要請したウェブトゥーンをサービスするウェブトゥーン画面５００でユーザからキャプチャアクション（例えば、ロングタッチ）が入力された場合、ウェブトゥーンの単位カット５１０が区分され、単位カット５１０別にユーザ選択が可能な選択入力欄５１１が表示されてよい。
【００３７】
これにより、ユーザが視聴中のウェブトゥーンにおいて、選択入力欄５１１を通じてキャプチャしたいカットを少なくとも１つ以上選択した後に「キャプチャ」メニュー５２０が入力されると、提供部２１２は、ユーザによって選択されたカットの高画質原画をキャプチャできるようになる。このとき、ユーザによって選択されたカットに対して高画質原画が存在しない場合には、ウェブトゥーンサービス用として登録された基本原画でキャプチャしてよい。
【００３８】
他の例として、図６を参照すると、ウェブトゥーン画面６００でユーザからキャプチャアクション（例えば、ロングタッチ）が入力された場合、ウェブトゥーンの単位カット６１０が区分され、単位カット６１０別にユーザ選択が可能な選択入力欄６１１が表示されてよい。ここで、単位カット６１０それぞれに対し、該当となるカットの高画質原画が事前に登録されているかを示す高画質原画表示子６１２が共に表示されてよい。
【００３９】
ユーザは、単位カット６１０別の高画質原画表示子６１２を通じて高画質原画が存在するカットを確認することができる。ユーザが選択入力欄６１１を通じて少なくとも１つ以上のカットを選択した後に「キャプチャ」メニュー６２０を入力すると、提供部２１２は、ユーザによって選択されたカットを高画質原画または基本原画でキャプチャしてよい。
【００４０】
また他の例として、図７を参照すると、提供部２１２は、ユーザを対象にウェブトゥーンをサービスするときに、ユーザが視聴中のウェブトゥーン画面７００上で単位カット別に高画質原画が事前に登録されているかを示す高画質原画表示子７０１を表示してよい。これにより、ユーザは、ウェブトゥーン視聴中にウェブトゥーン画面７００の高画質原画表示子７０１を見て高画質原画が存在するカットを確認することができる。
【００４１】
ウェブトゥーン画面７００でユーザからキャプチャアクション（例えば、ロングタッチ）が入力された場合、ウェブトゥーンの単位カット７１０が区分され、単位カット７１０別にユーザ選択が可能な選択入力欄７１１が表示されてよい。
【００４２】
これにより、ユーザが視聴中のウェブトゥーンで選択入力欄７１１を通じてキャプチャしたいカットを少なくとも１つ以上選択した後に「キャプチャ」メニュー７２０を入力すると、提供部２１２は、ユーザによって選択されたカットを高画質原画または基本原画でキャプチャしてよい。
【００４３】
また他の例として、提供部２１２は、高画質原画が存在するカット別に高画質原画表示子７０１をキャプチャツールとして表示してよく、ユーザが高画質原画表示子７０１を選択した場合には、カット選択過程を経ることなく直ぐに該当のカットの高画質原画をキャプチャできるようになる。
【００４４】
さらに他の例として、図８を参照すると、ユーザからウェブトゥーン画面８００の特定の位置でキャプチャアクション（例えば、ロングタッチ）が入力された場合、キャプチャアクションが入力された位置に対応するか最も隣接する単位カット８１０が他のカットと区分されて表示されてよい。
【００４５】
ユーザは、ウェブトゥーン画面８００を通じた視聴中に気に入った場面で直接キャプチャアクションを実行してよく、他のカットと区分されて表示される特定のカット８１０が自身がキャプチャしようとするカットであるか確認した後に「キャプチャ」メニュー８２０を入力すると、提供部２１２は、ユーザによって選択されたカットを高画質原画または基本原画でキャプチャしてよい。
【００４６】
図９〜図１０は、本発明の一実施形態における、共有機能、編集機能、コレクション機能にアクセス経路を例示的に説明した図である。
【００４７】
一例として、図９を参照すると、ユーザが視聴するウェブトゥーン画面９００でユーザから特定のアクション（例えば、ロングタッチ）が入力された場合、ウェブトゥーンの単位カット９１０が区分され、単位カット９１０別にユーザ選択が可能な選択入力欄９１１が表示されてよい。このとき、単位カット９１０が区分されて表示される画面上には、「キャプチャ」メニュー９２０と共に、「共有」メニュー９３０、「編集」メニュー９４０、「コレクション」メニュー９５０が活性化して表示されてよい。したがって、提供部２１２は、ユーザが視聴中のウェブトゥーン画面で、ウェブトゥーンの単位カット別に利用可能なキャプチャ機能、共有機能、編集機能、コレクション機能を提供することができる。
【００４８】
他の例として、図１０を参照すると、提供部２１２は、ユーザ選択によってキャプチャしたイメージリストであるキャプチャリスト１０００を提供してよく、キャプチャリスト１０００にも、キャプチャされた個別カット１０１０別に区分されて表示され、個別カット１０１０別にユーザ選択が可能な選択入力欄１０１１が表示されてよい。ここで、キャプチャリスト１０００が表示される画面上には、「共有」メニュー１０３０、「編集」メニュー１０４０、「コレクション」メニュー１０５０が活性化して表示されてよい。したがって、ユーザ選択によってキャプチャされたイメージリストが別途管理されてよく、提供部２１２は、キャプチャイメージリストで単位カット別に利用可能な共有機能、編集機能、コレクション機能を提供することができる。
【００４９】
この他にも、提供部２１２は、ユーザによって原画の台詞が編集されたイメージリストを提供してよく、イメージリストが表示される画面上には、「共有」メニュー、「コレクション」メニューを共に提供してよい。したがって、ユーザが原画の台詞を編集したイメージリストが別途管理されてよく、提供部２１２は、編集イメージリストで単位カット別に利用可能な共有機能およびコレクション機能を提供することができる。
【００５０】
また、提供部２１２は、ウェブトゥーンの視聴中にユーザが選択したカットを１つのコンテンツとして集めたコレクションリストとコレクション別に各コレクションを構成するイメージリストを提供してよく、このようなリストが表示される画面上には、「共有」メニューと「編集」メニューを共に提供してよい。したがって、ユーザがカットを集めて作ったコレクションリストとコレクション別イメージリストが別途管理されてよく、提供部２１２は、コレクションリストまたはコレクション別イメージリストでコレクションまたは単位カット別に利用可能な共有機能と編集機能を提供することができる。
【００５１】
キャプチャ機能の場合：図５〜図８を参照しながら説明したように、提供部２１２は、ユーザが選択入力欄９１１を通じて少なくとも１つ以上の単位カット９１０を選択して「キャプチャ」メニュー９２０を入力すると、ユーザによって選択されたカットを高画質原画または基本原画でキャプチャしてよい。
【００５２】
共有機能の場合：ユーザが選択入力欄９１１、１０１１を通じて少なくとも１つ以上の単位カット９１０、１０１０を選択して「共有」メニュー９３０、１０３０を入力すると、提供部２１２は、図１１に示すように、ユーザによって選択されたカットを共有するために呼び出し可能なサービスリスト１１００を提供してよい。サービスリスト１１００は、ウェブトゥーンの部分イメージとしてユーザによって選択されたカットを他人と共有するためのサービスであるＳＮＳ、メール、メッセンジャ、メッセージ、ブログ、グループなどを呼び出すためのメニューで構成されてよい。ユーザによって原画の台詞が翻訳されたカットを共有しようとするときには、サービスリスト１１００に翻訳参加サービスを呼び出すためのメニューがさらに含まれてよく、ユーザによって生成されたコレクションを共有しようとするときには、サービスリスト１１００にコンテンツオープンマーケットであるストアサービスを呼び出すためのメニューがさらに含まれてよい。
【００５３】
編集機能の場合：ユーザが選択入力欄９１１、１０１１を通じて少なくとも１つ以上の単位カット９１０、１０１０を選択して「編集」メニュー９４０、１０４０を入力すると、提供部２１２は、図１２に示すように、該当のカットの台詞編集が可能な編集画面１２００を提供してよい。編集画面１２００には、原画の台詞１２０１を変更するために変更台詞を入力するための入力画面１２０２を含んでよい。ここで、提供部２１２は、ユーザが選択した特定のカット１２１０に対し、原画の台詞１２０１を入力画面１２０２に入力された台詞１２０１’に変更して格納してよい。また、提供部２１２は、参加翻訳システムを活用してウェブトゥーンを視聴するユーザから原画の台詞１２０１を他の言語に翻訳した台詞（翻訳文）を収集してよく、この後、該当のウェブトゥーンをサービスするときには、原画の台詞１２０１を特定の基準によって選定された翻訳文に変更して提供してもよいし、原画の台詞１２０１に対して字幕などを利用して少なくとも１つの翻訳文を提供してもよい。
【００５４】
コレクション機能の場合：ユーザが選択入力欄９１１、１０１１を通じて少なくとも１つ以上の単位カット９１０、１０１０を選択して「コレクション」メニュー９５０、１０５０を入力すると、提供部２１２は、図１３に示すように、該当のカットを利用してコレクションを生成するためのメニューリスト１３００を提供してよい。コレクション機能とは、ウェブトゥーンの視聴中にユーザが選択したカットを集めて１つのコンテンツとして生成するためのものであって、メニューリスト１３００には、ユーザによって選択されたカットを既に生成されているコレクションに追加するための「既存のコレクションに追加」メニューと、ユーザによって選択されたカットを新たなコレクションとして生成するための「新たなコレクションを生成」メニューが含まれてよい。ユーザは、ウェブトゥーンの視聴中または多様なイメージリストからカット単位でイメージを選択してユーザだけのコレクションを生成してよく、ユーザが生成したコレクションをＳＮＳやメール、メッセンジャなどで他人と共有したり、ユーザが生成したコレクションを他人が購入して視聴することができるようにユーザのコレクションをコンテンツオープンマーケット（例えば、ブックストア）で共有したりしてよい。
【００５５】
したがって、本実施形態では、ウェブトゥーンの回次全体あるいはページ全体を対象にするのではなく、ウェブトゥーンのカット単位でユーザが希望する部分イメージだけを高画質でキャプチャすることができる上に、ウェブトゥーンのカット単位でユーザが選択した部分イメージを共有したり、原画の台詞を編集したり、コレクションを生成したりするのに利用することができる。
【００５６】
上述したコンテンツ流通方法は、図１〜図１３を参照しながら説明した詳細内容に基づいてより短縮された動作または追加の動作を含んでもよい。また、２つ以上の動作を組み合わせたり、動作の順序や位置を変更したりしてもよい。
【００５７】
図５〜図１３に示した画面は、発明の理解を助けるためにサービス画面の一部のみを例示的に示したが、本発明がこのような実施形態に限定されることはなく、画面の構成や順序などはいくらでも変更可能である。
【００５８】
図１４は、本発明の一実施形態における、コンピュータシステムの内部構成の一例を説明するためのブロック図である。
【００５９】
図１４に示すように、コンピュータシステム１４００は、少なくとも１つのプロセッサ１４１０、メモリ１４２０、周辺装置インタフェース１４３０、入力／出力（Ｉ／Ｏ）サブシステム１４４０、電力回路１４５０、および通信回路１４６０を少なくとも含んでよい。ここで、コンピュータシステム１４００は、ユーザ端末に該当してよい。
【００６０】
メモリ１４２０は、一例として、高速ＲＡＭ、磁気ディスク、ＳＲＡＭ、ＤＲＡＭ、ＲＯＭ、フラッシュメモリ、または不揮発性メモリを含んでよい。メモリ１４２０は、コンピュータシステム１４００の動作に必要なソフトウェアモジュール、命令語集合、またはその他にも多様なデータを含んでよい。ここで、プロセッサ１４１０や周辺装置インタフェース１４３０などの他のコンポーネントからメモリ１４２０へのアクセスは、プロセッサ１４１０によって制御されてよい。
【００６１】
周辺装置インタフェース１４３０は、コンピュータシステム１４００の入力周辺装置および／または出力周辺装置をプロセッサ１４１０およびメモリ１４２０に結合させてよい。プロセッサ１４１０は、メモリ１４２０に格納されたソフトウェアモジュールまたは命令語集合を実行し、コンピュータシステム１４００のための多様な機能を実行してデータを処理してよい。
【００６２】
入力／出力サブシステム１４４０は、多様な入力／出力周辺装置を周辺装置インタフェース１４３０に結合させてよい。例えば、入力／出力サブシステム１４４０は、モニタやキーボード、マウス、プリンタ、または必要に応じてタッチスクリーンやセンサなどの周辺装置を周辺装置インタフェース１４３０に結合させるためのコントローラを含んでよい。他の側面によると、入力／出力周辺装置は、入力／出力サブシステム１４４０を介さずに周辺装置インタフェース１４３０に結合されてもよい。
【００６３】
電力回路１４５０は、端末機のコンポーネントの全部または一部に電力を供給してよい。例えば、電力回路１４５０は、電力管理システム、バッテリや交流（ＡＣ）などのような１つ以上の電源、充電システム、電力障害検出回路、電力変換器やインバータ、電力状態表示子、または電力生成、管理、分配のための任意の他のコンポーネントを含んでよい。
【００６４】
通信回路１４６０は、少なくとも１つの外部ポートを利用して他のコンピュータシステムとの通信を可能にしてよい。または、上述したように、必要に応じて、通信回路１４６０はＲＦ回路を含み、電磁信号とも知られているＲＦ信号を送受信することにより、他のコンピュータシステムとの通信を可能にしてもよい。
【００６５】
このような図１４の実施形態は、コンピュータシステム１４００の一例に過ぎず、コンピュータシステム１４００は、図１４に示されたコンポーネントの一部が除去されてもよいし、図１４には示されていない追加のコンポーネントをさらに備えたり、２つ以上のコンポーネントを結合させる構成または配置を有したりしてもよい。例えば、モバイル環境の通信端末のためのコンピュータシステムは、図１４に示されたコンポーネントの他にも、タッチスクリーンやセンサなどをさらに備えてもよく、通信回路１４６０には、多様な通信方式（ＷｉＦｉ（登録商標）、３Ｇ、ＬＴＥ、Ｂｌｕｅｔｏｏｔｈ（登録商標）、ＮＦＣ、Ｚｉｇｂｅｅ（登録商標）など）のＲＦ通信のための回路が備えられてもよい。コンピュータシステム１４００に含めることができるコンポーネントは、１つ以上の信号処理またはアプリケーションに特化した集積回路を含むハードウェア、ソフトウェア、またはハードウェアとソフトウェアとの組み合わせによって実現されてよい。
【００６６】
本発明の実施形態に係る方法は、多様なコンピュータシステムによって実行可能なプログラム命令の形態で実現され、コンピュータで読み取り可能な媒体に記録されてもよい。特に、本実施形態に係るプログラムは、ＰＣ基盤のプログラムまたはモバイル端末専用のアプリケーションで構成されてよい。本発明が適用されるアプリケーションは、ファイル配信システムが提供するファイルを通じてユーザ端末にインストールされてよい。一例として、ファイル配信システムは、ユーザ端末の要求に応じて前記ファイルを送信するファイル送信部（図示せず）を含んでよい。
【００６７】
このように、本発明の実施形態によると、漫画コンテンツに対して高画質の原画をデータベースとして構築し、漫画コンテンツの部分イメージを高画質で提供することにより、ユーザが必要なイメージを高画質でキャプチャして所有または共有することができる。また、本発明の実施形態によると、漫画コンテンツから部分イメージを選択して流通することにより、回次全体あるいはページ全体を対象にするのではなく、ユーザが希望する部分だけを自由に流通することができる。さらに、本発明の実施形態によると、漫画コンテンツの部分イメージを利用してベストコレクションを作ったり台詞領域などを変更したりして共有可能な環境を提供することにより、自由なコンテンツの製作と流通が可能となる。
【００６８】
上述した装置は、ハードウェア構成要素、ソフトウェア構成要素、および／またはハードウェア構成要素とソフトウェア構成要素との組み合わせによって実現されてよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてもよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを格納、操作、処理、および生成してもよい。理解の便宜のために、１つの処理装置が使用されるとして説明される場合もあるが、当業者は、処理装置が複数の処理要素および／または複数種類の処理要素を含んでもよいことが理解できるであろう。例えば、処理装置は、複数のプロセッサまたは１つのプロセッサおよび１つのコントローラを含んでもよい。また、並列プロセッサのような、他の処理構成も可能である。
【００６９】
ソフトウェアは、コンピュータプログラム、コード、命令、またはこれらのうちの１つ以上の組み合わせを含んでよく、所望するとおりに動作するように処理装置を構成したり、独立的または集合的に処理装置に命令したりしてよい。ソフトウェアおよび／またはデータは、処理装置に基づいて解釈されたり、処理装置に命令またはデータを提供したりするために、ある種類の機械、コンポーネント、物理装置、仮想装置、コンピュータ格納媒体または装置、または送信される信号波に永久的または一時的に具現化されてよい。ソフトウェアは、ネットワークによって接続されたコンピュータシステム上に分散され、分散された態様で格納されても実行されてもよい。ソフトウェアおよびデータは、１つ以上のコンピュータで読み取り可能な記録媒体に格納されてもよい。
【００７０】
実施形態に係る方法は、多様なコンピュータ手段によって実行可能なプログラム命令の形態で実現されてコンピュータで読み取り可能な媒体に記録されてよい。前記コンピュータで読み取り可能な媒体は、プログラム命令、データファイル、データ構造などを単独でまたは組み合わせて含んでよい。前記媒体に記録されるプログラム命令は、実施形態のために特別に設計されて構成されたものであってもよいし、コンピュータソフトウェア当業者に公知な使用可能なものであってもよい。コンピュータで読み取り可能な記録媒体の例としては、ハードディスク、フロッピディスク、磁気テープのような磁気媒体、ＣＤ−ＲＯＭ、ＤＶＤのような光媒体、フロプティカルディスクのような光磁気媒体、およびＲＯＭ、ＲＡＭ、フラッシュメモリなどのようなプログラム命令を格納して実行するように特別に構成されたハードウェア装置が含まれる。プログラム命令の例は、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして動作するように構成されてもよく、その逆も同じである。
【００７１】
以上のように、実施形態を、限定された実施形態と図面に基づいて説明したが、当業者であれば、上述した記載から多様な修正および変形が可能である。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
したがって、異なる実施形態であっても、特許請求の範囲と均等なものであれば、添付される特許請求の範囲に属する。
【図１】
0006526819.tif 000002
【図２】
0006526819.tif 000003
【図３】
0006526819.tif 000004
【図４】
0006526819.tif 000005
【図５】
0006526819.tif 000006
【図６】
0006526819.tif 000007
【図７】
0006526819.tif 000008
【図８】
0006526819.tif 000009
【図９】
0006526819.tif 000010
【図１０】
0006526819.tif 000011
【図１１】
0006526819.tif 000012
【図１２】
0006526819.tif 000013
【図１３】
0006526819.tif 000014
【図１４】
0006526819.tif 000015